(57)【要約】【課題】スポーツに適したインソール２の提供。【解決手段】インソール２は、ベース４と立ち上がり部６とを備えている。ベース４は板状であり、概して平坦である。立ち上がり部６は、ベース４の周縁においてこのベース４と連続している。立ち上がり部６は、ベース４から上方に延在する。立ち上がり部６は、第一壁８、第二壁１０、第三壁１２、第四壁１４、第五壁１６及び第六壁１８を備えている。第一壁８の平均高さＨａ１は、第二壁１０の平均高さＨａ２よりも大きい。差（Ｈａ１−Ｈａ２）は、２ｍｍ以上１５ｍｍ以下である。第三壁１２の平均高さＨａ３は、第四壁１４の平均高さＨａ４よりも大きい。差（Ｈａ３−Ｈａ４）は、１ｍｍ以上１０ｍｍ以下である。【選択図】図３
2008220795.tif 000002
【特許請求の範囲】
【請求項１】
板状のベースと、
このベースの周縁においてこのベースと連続しており、このベースから上方に延在する立ち上がり部とを備えており、
この立ち上がり部が、踵側であってアウトサイドに位置する第一壁と、踵側であってインサイドに位置する第二壁とを含んでおり、
第一壁の平均高さＨａ１が第二壁の平均高さＨａ２よりも大きいスポーツ靴用インソール。
【請求項２】
上記第一壁の平均高さＨａ１と第二壁の平均高さＨａ２との差（Ｈａ１−Ｈａ２）が２ｍｍ以上１５ｍｍ以下である請求項１に記載のインソール。
【請求項３】
上記第一壁の最大高さＨｍ１が第二壁の最大高さＨｍ２よりも大きい請求項１又は２に記載のインソール。
【請求項４】
上記立ち上がり部が、爪先側であってアウトサイドに位置する第三壁と、爪先側であってインサイドに位置する第四壁とをさらに含んでおり、
第三壁の平均高さＨａ３が第四壁の平均高さＨａ４よりも大きい、請求項１から３のいずれかに記載のインソール。
【請求項５】
上記第三壁の平均高さＨａ３と第四壁の平均高さＨａ４との差（Ｈａ３−Ｈａ４）が１ｍｍ以上１０ｍｍ以下である請求項４に記載のインソール。
【請求項６】
上記第三壁の最大高さＨｍ３が第四壁の最大高さＨｍ４よりも大きい請求項４又は５に記載のインソール。
【請求項７】
上記ベースが、爪先側であってアウトサイドに位置する第一部位と、爪先側であってインサイドに位置する第二部位とを備えており、第一部位の平均厚みＴａ１が第二部位の平均厚みＴａ２よりも大きい請求項１から６のいずれかに記載のインソール。
【請求項８】
上記第一部位の平均厚みＴａ１と第二部位の平均厚みＴａ２との差（Ｔａ１−Ｔａ２）が１ｍｍ以上５ｍｍ以下である請求項７に記載のインソール。
【請求項９】
上記第一部位の最大厚みＴｍ１が第二部位の最大厚みＴｍ２よりも大きい請求項７又は８に記載のインソール。
【請求項１０】
板状のベースと、
このベースの周縁においてこのベースと連続しており、このベースから上方に延在する立ち上がり部とを備えており、
この立ち上がり部が、踵側であってアウトサイドに位置する第一壁と、踵側であってインサイドに位置する第二壁とを含んでおり、
第一壁の平均高さＨａ１が第二壁の平均高さＨａ２よりも大きいインソールを備えたスポーツ靴。
【発明の詳細な説明】
【技術分野】
【０００１】
本発明は、ゴルフ等のスポーツに適した靴のインソールに関する。
【背景技術】
【０００２】
靴は、アウトソール、ミッドソール、インソール、アッパー等から構成されている。インソールは、履き心地、クッション性等の向上の目的で用いられている。スポーツ靴用のインソールは、板状のベースと、立ち上がり部とを備えているものが多い。立ち上がり部は、ベースの周縁においてこのベースと連続している。立ち上がり部は、ベースから上方に延在する。
【０００３】
従来のインソールでは、立ち上がり部は、足の土踏まずに相当する箇所から踵に相当する箇所にかけて形成されている。この立ち上がり部により、土踏まず及び踵がホールドされる。足の土踏まずに相当する箇所のインサイドには、高さの大きな立ち上がり部が形成されている。
【０００４】
特開平９−２８４０１号公報には、ゴルフ靴用のインソールが開示されている。このインソールは、指の付け根の近傍に滑り止め部を備えている。このインソールはさらに、踵側の周縁に傾斜部を備えている。
【０００５】
ゴルファーは、左右の爪先を結ぶ線が目標方向とほぼ平行となるようにアドレスする。アドレスでは、ゴルフクラブのヘッドはゴルフボールの近くに位置する。この状態からゴルファーはテイクバックを開始し、ヘッドを右へ、次いで上へと振り上げる。最もヘッドが振り上げられた位置は、トップ位置と称される。トップ位置からダウンスイングが開始されてヘッドが振り下ろされ、ヘッドがゴルフボールと衝突する。衝突後、ゴルファーはゴルフクラブを左へ振り、さらに上へと振りぬいて、フィニッシュを迎える。
【０００６】
トップ位置からフィニッシュにかけて、ゴルファーは左足を軸としてボディターンを行う。同時にゴルファーは、右足で地面を蹴ってその力をゴルフボールに伝える。右利きのゴルファーは、左足を軸足として使い、右足を蹴足として使う。左利きゴルファーの場合は、右足を軸足として使い、左足を蹴足として使う。
【特許文献１】特開平９−２８４０１号公報
【発明の開示】
【発明が解決しようとする課題】
【０００７】
スイングのときゴルファーは、主として蹴足のインサイドに体重をかけて地面を蹴る。ゴルファーはまた、主として軸足のインサイドで体重を受け止める。蹴足においても軸足においても、地面に伝えられる力は、外向きである。スイングにおける動作は、特殊である。スイングに適した靴が望まれている。
【０００８】
他のスポーツにおいても、足のインサイドに体重がかかる動作が見られる。テニス、スカッシュ等のラケット競技では、ラケットをスイングするときに、足のインサイドに体重がかかる。フィールドホッケーでは、スティックをスイングするときに、足のインサイドに体重がかかる。バスケットボール及びエアロビクス体操では、左右反転動作のときに、足のインサイドに体重がかかる。これらのスポーツにおいても、動作に適した靴が望まれている。
【０００９】
本発明の目的は、スポーツに適したインソールの提供にある。
【課題を解決するための手段】
【００１０】
本発明に係るインソールは、ベースと立ち上がり部とを備える。ベースは、板状である。立ち上がり部は、ベースの周縁においてこのベースと連続している。立ち上がり部は、ベースから上方に延在する。立ち上がり部は、踵側であってアウトサイドに位置する第一壁と、踵側であってインサイドに位置する第二壁とを含む。第一壁の平均高さＨａ１は、第二壁の平均高さＨａ２よりも大きい。
【００１１】
好ましくは、第一壁の平均高さＨａ１と第二壁の平均高さＨａ２との差（Ｈａ１−Ｈａ２）は、２ｍｍ以上１５ｍｍ以下である。好ましくは、第一壁の最大高さＨｍ１は、第二壁の最大高さＨｍ２よりも大きい。
【００１２】
好ましくは、立ち上がり部は、爪先側であってアウトサイドに位置する第三壁と、爪先側であってインサイドに位置する第四壁とをさらに含む。第三壁の平均高さＨａ３は、第四壁の平均高さＨａ４よりも大きい。好ましくは、第三壁の平均高さＨａ３と第四壁の平均高さＨａ４との差（Ｈａ３−Ｈａ４）は、１ｍｍ以上１０ｍｍ以下である。好ましくは、第三壁の最大高さＨｍ３は、第四壁の最大高さＨｍ４よりも大きい。
【００１３】
好ましくは、ベースは、爪先側であってアウトサイドに位置する第一部位と、爪先側であってインサイドに位置する第二部位とを備える。第一部位の平均厚みＴａ１は、第二部位の平均厚みＴａ２よりも大きい。好ましくは、第一部位の平均厚みＴａ１と第二部位の平均厚みＴａ２との差（Ｔａ１−Ｔａ２）は、１ｍｍ以上５ｍｍ以下である。好ましくは、第一部位の最大厚みＴｍ１は、第二部位の最大厚みＴｍ２よりも大きい。
【発明の効果】
【００１４】
本発明に係るインソールは第一壁を備えているので、このインソールを備えたスポーツ靴では、足のインサイドに体重がかかりやすい。このインソールは、種々のスポーツに適している。
【発明を実施するための最良の形態】
【００１５】
以下、適宜図面が参照されつつ、好ましい実施形態に基づいて本発明が詳細に説明される。
【００１６】
図１は本発明の一実施形態に係るインソール２が示された正面図であり、図２はその右側面図であり、図３はその左側面図であり、図４は図１のIV−IV線に沿った断面図であり、図５は図１のＶ−Ｖ線に沿った断面図であり、図６は図１のVI−VI線に沿った断面図である。図１において、上側が爪先側であり、下側が踵側であり、右側がアウトサイドであり、左側がインサイドである。このインソール２は、右足用である。左足用のインソールは、図１に示された形状が左右反転した形状を有する。このインソール２が、アウトソール、ミッドソール、アッパー等とアッセンブリーされることにより、ゴルフ靴が得られる。
【００１７】
このインソール２は、ベース４と立ち上がり部６とを備えている。ベース４は板状であり、概して平坦である。立ち上がり部６は、ベース４の周縁においてこのベース４と連続している。立ち上がり部６は、ベース４から上方に延在する。この実施形態では、立ち上がり部６はベース４と一体的に成形されている。ベース４の周縁のほぼ全体が、立ち上がり部６に囲まれている。ベース４の周縁の一部において、立ち上がり部６が形成されなくてもよい。
【００１８】
図１において符号Ｓで示された線分は、長さ線である。長さ線Ｓは、インソール２の輪郭の内部に画かれうる最長の線分である。矢印Ｌで示されているのは、長さ線Ｓの長さである。点Ｐｈは、長さ線Ｓの踵側端である。点Ｐｔは長さ線Ｓの爪先側端である。点Ｐ１は、長さ線Ｓの上にあり、かつ点Ｐｔからの距離が長さＬの９５％の点である。点Ｐ２は、長さ線Ｓの上にあり、かつ点Ｐｔからの距離が長さＬの８０％の点である。点Ｐ３は、長さ線Ｓの上にあり、かつ点Ｐｔからの距離が長さＬの４５％の点である。点Ｐ４は、長さ線Ｓの上にあり、かつ点Ｐｔからの距離が長さＬの３５％の点である。点Ｐ５は、長さ線Ｓの上にあり、かつ点Ｐｔからの距離が長さＬの１０％の点である。点Ｐ６は、長さ線Ｓの上にあり、かつ点Ｐｔからの距離が長さＬの５％の点である。
【００１９】
線分Ｓ１は、点Ｐ１において長さ線Ｓと直交する。線分Ｓ２は、点Ｐ２において長さ線Ｓと直交する。線分Ｓ３は、点Ｐ３において長さ線Ｓと直交する。線分Ｓ４は、点Ｐ４において長さ線Ｓと直交する。線分Ｓ５は、点Ｐ５において長さ線Ｓと直交する。線分Ｓ６は、点Ｐ６において長さ線Ｓと直交する。
【００２０】
立ち上がり部６は、第一壁８、第二壁１０、第三壁１２、第四壁１４、第五壁１６及び第六壁１８を備えている。第一壁８、第二壁１０、第三壁１２、第四壁１４、第五壁１６及び第六壁１８のそれぞれは、立ち上がり部６の一部である。第一壁８は、長さ線Ｓよりもアウトサイドにあり、線分Ｓ１と線分Ｓ２とに挟まれている。第二壁１０は、長さ線Ｓよりもインサイドにあり、線分Ｓ１と線分Ｓ２とに挟まれている。第三壁１２は、長さ線Ｓよりもアウトサイドにあり、線分Ｓ３と線分Ｓ６とに挟まれている。第四壁１４は、長さ線Ｓよりもインサイドにあり、線分Ｓ３と線分Ｓ６とに挟まれている。第五壁１６は、長さ線Ｓよりもアウトサイドにあり、線分Ｓ２と線分Ｓ３とに挟まれている。第六壁１８は、長さ線Ｓよりもインサイドにあり、線分Ｓ２と線分Ｓ３とに挟まれている。第一壁８及び第二壁１０は、踵側に位置する。第三壁１２及び第四壁１４は、爪先側に位置する。第五壁１６及び第六壁１８は、土踏まずの近傍に位置する。
【００２１】
図４において矢印Ｈ１で示されているのは、第一壁８の高さである。長さ方向において２ｍｍ刻みに測定点が選択され、高さＨ１が測定される。これらの測定値が平均されることにより、第一壁８の平均高さＨａ１が算出される。図４において矢印Ｈ２で示されているのは、第二壁１０の高さである。長さ方向において２ｍｍ刻みに測定点が選択され、高さＨ２が測定される。これらの測定値が平均されることにより、第二壁１０の平均高さＨａ２が算出される。
【００２２】
第一壁８の平均高さＨａ１は、第二壁１０の平均高さＨａ２よりも大きい。この第一壁８は、足をホールドする。高さＨａ１の大きな第一壁８により、ゴルファーは、内側体重を達成することができる。この靴を着用したゴルファーは、スイング中に踏ん張ることができる。このインソール２により、安定したスイングが達成されうる。
【００２３】
差（Ｈａ１−Ｈａ２）は、２ｍｍ以上１５ｍｍ以下が好ましい。差（Ｈａ１−Ｈａ２）が２ｍｍ以上であるインソール２により、内側体重が容易に達成されうる。この観点から、差（Ｈａ１−Ｈａ２）は３ｍｍ以上がより好ましく、５ｍｍ以上が特に好ましい。差（Ｈａ１−Ｈａ２）が１５ｍｍ以下であるインソール２は、生産性に優れる。この観点から、差（Ｈａ１−Ｈａ２）は１０ｍｍ以下がより好ましい。
【００２４】
内側体重の観点から、第一壁８の平均高さＨａ１は５ｍｍ以上が好ましく、１０ｍｍ以上がより好ましく、１８ｍｍ以上が特に好ましい。インソール２の生産性の観点から、高さＨａ１は４５ｍｍ以下が好ましく、４０ｍｍ以下がより好ましく、３５ｍｍ以下が特に好ましい。
【００２５】
足のホールドの観点から、第二壁１０の平均高さＨａ２は３ｍｍ以上が好ましく、１０ｍｍ以上がより好ましく、１５ｍｍ以上が特に好ましい。インソール２の生産性の観点から、高さＨａ２は４０ｍｍ以下が好ましく、３５ｍｍ以下がより好ましく、３０ｍｍ以下が特に好ましい。
【００２６】
内側体重の観点から、第一壁８の最大高さＨｍ１が第二壁１０の最大高さＨｍ２よりも大きいことが好ましい。内側体重の観点から、差（Ｈｍ１−Ｈｍ２）は２ｍｍ以上が好ましく、３ｍｍ以上がより好ましく、５ｍｍ以上が特に好ましい。インソール２の生産性の観点から、差（Ｈｍ１−Ｈｍ２）は１５ｍｍ以下が好ましく、１０ｍｍ以下がより好ましい。
【００２７】
内側体重の観点から、第一壁８の最大高さＨｍ１は７ｍｍ以上が好ましく、１３ｍｍ以上がより好ましく、２０ｍｍ以上が特に好ましい。インソール２の生産性の観点から、高さＨｍ１は４８ｍｍ以下が好ましく、４３ｍｍ以下がより好ましく、４０ｍｍ以下が特に好ましい。
【００２８】
足のホールドの観点から、第二壁１０の最大高さＨｍ２は５ｍｍ以上が好ましく、１３ｍｍ以上がより好ましく、１８ｍｍ以上が特に好ましい。インソール２の生産性の観点から、高さＨｍ２は４３ｍｍ以下が好ましく、３８ｍｍ以下がより好ましく、３５ｍｍ以下が特に好ましい。
【００２９】
図５において矢印Ｈ３で示されているのは、第三壁１２の高さである。長さ方向において２ｍｍ刻みに測定点が選択され、高さＨ３が測定される。これらの測定値が平均されることにより、第三壁１２の平均高さＨａ３が算出される。図５において矢印Ｈ４で示されているのは、第四壁１４の高さである。長さ方向において２ｍｍ刻みに測定点が選択され、高さＨ４が測定される。これらの測定値が平均されることにより、第四壁１４の平均高さＨａ４が算出される。
【００３０】
第三壁１２の平均高さＨａ３は、第四壁１４の平均高さＨａ４よりも大きい。この第三壁１２は、足をホールドする。高さＨａ３の大きな第三壁１２を備えた靴を着用することにより、ゴルファーは、力を地面に伝えやすい。換言すれば、第三壁１２は運動性に寄与する。
【００３１】
差（Ｈａ３−Ｈａ４）は、１ｍｍ以上１０ｍｍ以下が好ましい。差（Ｈａ３−Ｈａ４）が１ｍｍ以上であるインソール２は、運動性に優れる。この観点から、差（Ｈａ３−Ｈａ４）は２ｍｍ以上がより好ましく、５ｍｍ以上が特に好ましい。差（Ｈａ３−Ｈａ４）が１０ｍｍ以下であるインソール２は、アッパー等と容易にアッセンブリーされる。この観点から、差（Ｈａ３−Ｈａ４）は８ｍｍ以下がより好ましい。
【００３２】
運動性の観点から、第三壁１２の平均高さＨａ３は３ｍｍ以上が好ましく、５ｍｍ以上がより好ましく、８ｍｍ以上が特に好ましい。アッセンブリー容易の観点から、高さＨａ３は２０ｍｍ以下が好ましく、１８ｍｍ以下がより好ましく、１５ｍｍ以下が特に好ましい。
【００３３】
足のホールドの観点から、第四壁１４の平均高さＨａ４は２ｍｍ以上が好ましく、３ｍｍ以上がより好ましい。アッセンブリー容易の観点から、高さＨａ４は１５ｍｍ以下が好ましく、１４ｍｍ以下がより好ましく、１３ｍｍ以下が特に好ましい。
【００３４】
運動性の観点から、第三壁１２の最大高さＨｍ３が第四壁１４の最大高さＨｍ４よりも大きいことが好ましい。運動性の観点から、差（Ｈｍ３−Ｈｍ４）は１ｍｍ以上が好ましく、２ｍｍ以上がより好ましく、５ｍｍ以上が特に好ましい。アッセンブリー容易の観点から、差（Ｈｍ３−Ｈｍ４）は１０ｍｍ以下が好ましく、８ｍｍ以下がより好ましい。
【００３５】
運動性の観点から、第三壁１２の最大高さＨｍ３は４ｍｍ以上が好ましく、６ｍｍ以上がより好ましく、１０ｍｍ以上が特に好ましい。アッセンブリー容易の観点から、高さＨｍ３は２２ｍｍ以下が好ましく、２０ｍｍ以下がより好ましく、１８ｍｍ以下が特に好ましい。
【００３６】
足のホールドの観点から、第四壁１４の最大高さＨｍ４は３ｍｍ以上が好ましく、４ｍｍ以上がより好ましい。アッセンブリー容易の観点から、高さＨｍ４は１７ｍｍ以下が好ましく、１６ｍｍ以下がより好ましく、１５ｍｍ以下が特に好ましい。
【００３７】
図６において矢印Ｈ５で示されているのは、第５壁の高さである。長さ方向において２ｍｍ刻みに測定点が選択され、高さＨ５が測定される。これらの測定値が平均されることにより、第五壁１６の平均高さＨａ５が算出される。図６において矢印Ｈ６で示されているのは、第六壁１８の高さである。長さ方向において２ｍｍ刻みに測定点が選択され、高さＨ６が測定される。これらの測定値が平均されることにより、第六壁１８の平均高さＨａ６が算出される。
【００３８】
第六壁１８の平均高さＨａ６は、第五壁１６の平均高さＨａ５よりも大きい。この第六壁１８は、足の土踏まずをホールドする。この第六壁１８は、運動性に寄与する。運動性の観点から、差（Ｈａ６−Ｈａ５）は、３ｍｍ以上３８ｍｍ以下が好ましい。運動性の観点から、高さＨａ６は５ｍｍ以上４０ｍｍ以下が好ましい。アッセンブリー容易の観点から、高さＨａ５は２ｍｍ以上３５ｍｍ以下が好ましい。      
【００３９】
高さＨ１、Ｈ２、Ｈ３、Ｈ４、Ｈ５及びＨ６の測定では、水平であり硬質であるプレートの上に、インソール２が置かれる。このプレートからの、立ち上がり部６の上端までの距離が測定される。
【００４０】
図７は、図１のインソール２の一部が示された拡大図である。この図７において符号Ｃ１で示されているのは、インソール２の輪郭のインサイドからの距離が幅Ｗ（図５参照）の９０％である曲線である。符号Ｃ２で示されているのは、インソール２の輪郭のインサイドからの距離が幅Ｗの６０％である曲線である。符号Ｃ３で示されているのは、インソール２の輪郭のインサイドからの距離が幅Ｗの１５％である曲線である。
【００４１】
図５及び７に示されるように、ベース４は、第一部位２０及び第二部位２２を備えている。第一部位２０は、爪先側であってアウトサイドに位置している。第一部位２０は、線分Ｓ４、曲線Ｃ１、線分Ｓ５及び曲線Ｃ２に囲まれている。第二部位２２は、爪先側であってインサイドに位置している。第二部位２２は、線分Ｓ４、曲線Ｃ２、線分Ｓ５及び曲線Ｃ３に囲まれている。
【００４２】
図５において矢印Ｔ１で示されているのは、第一部位２０の厚みである。長さ方向及び幅方向のそれぞれにおいて５ｍｍ刻みに測定点が選択され、厚みＴ１が測定される。これらの測定値が平均されることにより、第一部位２０の平均厚みＴａ１が算出される。図５において矢印Ｔ２で示されているのは、第二部位２２の厚みである。長さ方向及び幅方向のそれぞれにおいて５ｍｍ刻みに測定点が選択され、厚みＴ２が測定される。これらの測定値が平均されることにより、第二部位２２の平均厚みＴａ２が算出される。
【００４３】
第一部位２０の平均厚みＴａ１は、第二部位２２の平均厚みＴａ２よりも大きい。従来のゴルフ靴を着用したゴルファーがスイングするとき、足の小指近傍が踏ん張りに寄与しない傾向がある。本発明に係るインソール２では、厚い第一部位２０により、内側体重と小指近傍の踏ん張りとが達成される。このインソール２により、安定したスイングが達成されうる。
【００４４】
差（Ｔａ１−Ｔａ２）は、１．０ｍｍ以上５ｍｍ以下が好ましい。差（Ｔａ１−Ｔａ２）が１．０ｍｍ以上であるインソール２により、スイング時の踏ん張りが容易に達成されうる。この観点から、差（Ｔａ１−Ｔａ２）は１．５ｍｍ以上が特に好ましい。差（Ｔａ１−Ｔａ２）が５ｍｍ以下であるインソール２は、履き心地に優れる。
【００４５】
踏ん張りの観点から、第一部位２０の平均厚みＴａ１は３ｍｍ以上が好ましく、４ｍｍ以上がより好ましく、５ｍｍ以上が特に好ましい。履き心地の観点から、厚みＴａ１は１３ｍｍ以下が好ましく、１０ｍｍ以下がより好ましく、８ｍｍ以下が特に好ましい。
【００４６】
クッション性の観点から、第二部位２２の平均厚みＴａ２は１ｍｍ以上が好ましく、２ｍｍ以上がより好ましく、３ｍｍ以上が特に好ましい。アッセンブリーの容易の観点から、厚みＴａ２は８ｍｍ以下が好ましく、７ｍｍ以下がより好ましく、６ｍｍ以下が特に好ましい。
【００４７】
踏ん張りの観点から、第一部位２０の最大厚みＴｍ１が第二部位２２の最大厚みＴｍ２よりも大きいことが好ましい。踏ん張りの観点から、差（Ｔｍ１−Ｔｍ２）は１．０ｍｍ以上が好ましく、１．５ｍｍ以上がより好ましく、２．０ｍｍ以上が特に好ましい。履き心地の観点から、差（Ｔｍ１−Ｔｍ２）は７ｍｍ以下が好ましく、５ｍｍ以下がより好ましい。
【００４８】
踏ん張りの観点から、第一部位２０の最大厚みＴｍ１は４ｍｍ以上が好ましく、５ｍｍ以上がより好ましく、６ｍｍ以上が特に好ましい。履き心地の観点から、厚みＴｍ１は１５ｍｍ以下が好ましく、１３ｍｍ以下がより好ましく、１０ｍｍ以下が特に好ましい。
【００４９】
クッション性の観点から、第二部位２２の最大厚みＴｍ２は２ｍｍ以上が好ましく、３ｍｍ以上がより好ましく、４ｍｍ以上が特に好ましい。アッセンブリーの容易の観点から、厚みＴｍ２は１０ｍｍ以下が好ましく、９ｍｍ以下がより好ましく、８ｍｍ以下が特に好ましい。
【００５０】
本発明では、差（Ｈａ１−Ｈａ２）がゼロよりも大きいことが必須である。差（Ｈａ３−Ｈａ４）は、ゼロ以下であってもよい。差（Ｔａ１−Ｔａ２）は、ゼロ以下であってもよい。
【００５１】
このインソール２は、気泡を含むポリマー成形体からなる。インソール２の基材ポリマーとしては、ポリウレタン、エチレン−酢酸ビニル共重合体及びポリエチレンが例示される。インソール２に、天然ゴム又は合成ゴムが用いられてもよい。気泡は、熱分解型発泡剤の発泡によって形成される。用いられる熱分解型発泡剤としては、アゾジカルボンアミドのようなアゾ化合物、ジニトロソペンタメチレンテトラミンのようなニトロソ化合物及びトリアゾール化合物が例示される。
【００５２】
気泡を含むポリマー成形体の上面に、被覆層が積層されてもよい。通気性、吸湿性、乾燥性、保温性及び耐摩耗性に優れた素材が、被覆層に用いられる。織布、不織布、編布、皮革、合成皮革等が、被覆層として用いられうる。
【００５３】
図８は、本発明の他の実施形態に係るインソール２４が示された断面図である。図示されていないが、このインソール２４には、図１及び図７に示されたインソール２と同様に、長さ線Ｓ、線分Ｓ１、Ｓ２、Ｓ３、Ｓ４、Ｓ５及びＳ６並びに曲線Ｃ１、Ｃ２及びＣ３が想定されうる。この図８には、インソール２４の爪先側近傍が示されている。この図８は、前述のインソール２の図５に相当する。このインソール２４は、ベース２６と立ち上がり部２８とを備えている。この立ち上がり部２８は、図１から７に示された立ち上がり部６と同様に、第一壁、第二壁、第三壁３０、第四壁３２、第五壁及び第六壁を備えている。図８には、第三壁３０及び第四壁３２が示されている。
【００５４】
図８に示されるように、ベース２６は、第一部位３４及び第二部位３６を備えている。第一部位３４は、爪先側であってアウトサイドに位置している。第一部位３４は、線分Ｓ４、曲線Ｃ１、線分Ｓ５及び曲線Ｃ２に囲まれている。第二部位３６は、爪先側であってインサイドに位置している。第二部位３６は、線分Ｓ４、曲線Ｃ２、線分Ｓ５及び曲線Ｃ３に囲まれている。
【００５５】
図８において矢印Ｔ１で示されているのは、第一部位３４の厚みである。長さ方向及び幅方向のそれぞれにおいて５ｍｍ刻みに測定点が選択され、厚みＴ１が測定される。これらの測定値が平均されることにより、第一部位３４の平均厚みＴａ１が算出される。図８において矢印Ｔ２で示されているのは、第二部位３６の厚みである。長さ方向及び幅方向のそれぞれにおいて５ｍｍ刻みに測定点が選択され、厚みＴ２が測定される。これらの測定値が平均されることにより、第二部位３６の平均厚みＴａ２が算出される。
【００５６】
このベース２６は、小指に相当する部分に、厚肉部３８を備えている。この厚肉部３８により、内側体重と小指近傍の踏ん張りとが達成される。このインソール２４により、安定したスイングが達成されうる。厚肉部３８は、第一部位３４に属している。この厚肉部３８に起因して、第一部位３４の平均厚みＴａ１は、第二部位３６の平均厚みＴａ２よりも大きい。
【００５７】
差（Ｔａ１−Ｔａ２）は、１．０ｍｍ以上５ｍｍ以下が好ましい。差（Ｔａ１−Ｔａ２）が１．０ｍｍ以上であるインソール２４により、スイング時の踏ん張りが容易に達成されうる。この観点から、差（Ｔａ１−Ｔａ２）は１．５ｍｍ以上が特に好ましい。差（Ｔａ１−Ｔａ２）が５ｍｍ以下であるインソール２４は、履き心地に優れる。
【００５８】
踏ん張りの観点から、第一部位３４２０の平均厚みＴａ１は３ｍｍ以上が好ましく、４ｍｍ以上がより好ましく、５ｍｍ以上が特に好ましい。履き心地の観点から、厚みＴａ１は１３ｍｍ以下が好ましく、１０ｍｍ以下がより好ましく、８ｍｍ以下が特に好ましい。
【００５９】
クッション性の観点から、第二部位３６２２の平均厚みＴａ２は１ｍｍ以上が好ましく、２ｍｍ以上がより好ましく、３ｍｍ以上が特に好ましい。アッセンブリーの容易の観点から、厚みＴａ２は８ｍｍ以下が好ましく、７ｍｍ以下がより好ましく、６ｍｍ以下が特に好ましい。
【００６０】
踏ん張りの観点から、第一部位３４の最大厚みＴｍ１が第二部位３６の最大厚みＴｍ２よりも大きいことが好ましい。踏ん張りの観点から、差（Ｔｍ１−Ｔｍ２）は１．０ｍｍ以上が好ましく、１．５ｍｍ以上がより好ましく、２．０ｍｍ以上が特に好ましい。履き心地の観点から、差（Ｔｍ１−Ｔｍ２）は７ｍｍ以下が好ましく、５ｍｍ以下がより好ましい。
【００６１】
踏ん張りの観点から、第一部位３４の最大厚みＴｍ１は４ｍｍ以上が好ましく、５ｍｍ以上がより好ましく、６ｍｍ以上が特に好ましい。履き心地の観点から、厚みＴｍ１は１５ｍｍ以下が好ましく、１３ｍｍ以下がより好ましく、１０ｍｍ以下が特に好ましい。
【００６２】
クッション性の観点から、第二部位３６の最大厚みＴｍ２は２ｍｍ以上が好ましく、３ｍｍ以上がより好ましく、４ｍｍ以上が特に好ましい。アッセンブリーの容易の観点から、厚みＴｍ２は１０ｍｍ以下が好ましく、９ｍｍ以下がより好ましく、８ｍｍ以下が特に好ましい。
【実施例】
【００６３】
以下、実施例によって本発明の効果が明らかにされるが、この実施例の記載に基づいて本発明が限定的に解釈されるべきではない。
【００６４】
［実施例１］
エチレン−酢酸ビニル共重合体の発泡体の上面に織布が積層されたインソールを得た。このインソールの長さＬは、２６０ｍｍである。このインソールは、第一壁、第二壁、第三壁、第四壁、第五壁及び第六壁を備えている。第一壁の平均高さＨａ１は、第二壁の平均高さＨａ２よりも大きい。第三壁の平均高さＨａ３は、第四壁の平均高さＨａ４よりも大きい。このインソールでは、ベースの厚みは一定である。従って、第一部位の平均厚みＴａ１は、第二部位の平均厚みＴａ２と同一である。このインソールの各部分のサイズが、下記の表２に示されている。このインソールを、アウトソール、ミッドソール、アッパー等とアッセンブリーして、実施例１のゴルフ靴を得た。
【００６５】
［実施例２から５及び比較例］
高さＨａ１、Ｈａ２、Ｈｍ１及びＨｍ２を下記の表１及び２に示される通りとした他は実施例１と同様にして、実施例２から５及び比較例のゴルフ靴を得た。
【００６６】
［実施例６及び７］
厚みＴａ１、Ｔａ２、Ｔｍ１及びＴｍ２を下記の表２に示される通りとした他は実施例１と同様にして、実施例６及び７のゴルフ靴を得た。
【００６７】
［実施例８から１０］
高さＨａ３、Ｈａ４、Ｈｍ３及びＨｍ４を下記の表３に示される通りとした他は実施例１と同様にして、実施例８から１０のゴルフ靴を得た。
【００６８】
［実施例１１］
高さＨａ３、Ｈａ４、Ｈｍ３及びＨｍ４並びに厚みＴａ１、Ｔａ２、Ｔｍ１及びＴｍ２を下記の表３に示される通りとした他は実施例１と同様にして、実施例１１のゴルフ靴を得た。
【００６９】
［横飛び時の運動性］
ゴルフ靴をテスターに着用させ、６０ｃｍの間隔で反復横跳び運動を行わせた。１分間の横飛び回数を測定した。５名のテスターによる平均値が、指数として、下記の表１から３に示されている。
【００７０】
［履き心地］
ゴルフ靴をテスターに着用させ、コンクリート路面上でランニングを行わせた。下記基準に基づき、テスターに履き心地を評価させた。
５・・・よい
４・・・ややよい
３・・・普通
２・・・やや悪い
１・・・悪い
５名のテスターによる平均値が、下記の表１から３に示されている。
【００７１】
［スイング時の安定性］
ゴルフ靴をテスターに着用させ、ドライバーでゴルフボールを打撃させた。下記基準に基づき、テスターにスイング時の安定性を評価させた。
５・・・よい
４・・・ややよい
３・・・普通
２・・・やや悪い
１・・・悪い
５名のテスターによる平均値が、下記の表１から３に示されている。
【００７２】
［飛距離の測定］
ゴルフ靴をテスターに着用させ、ドライバーでゴルフボールを打撃させて飛距離を測定した。１０回の測定の最大値と最小値との差を、算出した。５名のテスターによる平均値が、指数として、下記の表１から３に示されている。
【００７３】
【表１】
2008220795.tif 000003
【００７４】
【表２】
2008220795.tif 000004
【００７５】
【表３】
2008220795.tif 000005
【００７６】
表１から３に示されるように、本発明に係るゴルフ靴は、ゴルフのスイングに適している。この評価結果から、本発明の優位性は明らかである。
【産業上の利用可能性】
【００７７】
本発明に係るインソールは、種々の運動に適している。
【図面の簡単な説明】
【００７８】
【図１】図１は、本発明の一実施形態に係るインソールが示された正面図である。
【図２】図２は、図１のインソールが示された右側面図である。
【図３】図３は、図１のインソールが示された左側面図である。
【図４】図４は、図１のIV−IV線に沿った断面図である。
【図５】図５は、図１のＶ−Ｖ線に沿った断面図である。
【図６】図６は、図１のVI−VI線に沿った断面図である。
【図７】図７は、図１のインソールの一部が示された拡大図である。
【図８】図８は、本発明の他の実施形態に係るインソールが示された断面図である。
【符号の説明】
【００７９】
２、２４・・・インソール
４、２６・・・ベース
６、２８・・・立ち上がり部
８・・・第一壁
１０・・・第二壁
１２、３０・・・第三壁
１４、３２・・・第四壁
１６・・・第五壁
１８・・・第六壁
２０、３４・・・第一部位
２２、３６・・・第二部位
３８・・・厚肉部
【図１】
2008220795.tif 000006
【図２】
2008220795.tif 000007
【図３】
2008220795.tif 000008
【図４】
2008220795.tif 000009
【図５】
2008220795.tif 000010
【図６】
2008220795.tif 000011
【図７】
2008220795.tif 000012
【図８】
2008220795.tif 000013